(57)【要約】【課題】外部機器から入力するデータの選択が行われない場合に、ＥＭＩノイズを低減させることが可能な電子機器を提供する。【解決手段】データを出力する外部機器とケーブルを通じて接続する電子機器において、前記ケーブルを通じて入力したデータを受信する受信部と、前記受信部と、前記ケーブルに接続されるコネクターとの間を接続する複数の配線と、前記各配線と、一端で接続され、他端でグランドに接続されたコンデンサーと、前記コンデンサーと前記グランドの間に接続され、前記コンデンサーの導通を切替えるスイッチ素子と、前記ケーブルを通じて入力するデータが選択されていない場合に、前記スイッチ素子をオンさせて、前記コンデンサーを導通させる制御部と、を有する。【選択図】図２
2012249037.tif 000002
【特許請求の範囲】
【請求項１】
データを出力する外部機器とケーブルを通じて接続する電子機器において、
前記ケーブルを通じて入力したデータを受信する受信部と、
前記受信部と、前記ケーブルに接続されるコネクターとの間を接続する複数の配線と、
前記各配線と、一端で接続され、他端でグランドに接続されたコンデンサーと、
前記コンデンサーと前記グランドとの間に接続され、前記コンデンサーの導通を切替えるスイッチ素子と、
前記ケーブルを通じて入力するデータが選択されていない場合に、前記スイッチ素子をオンさせて、前記コンデンサーを導通させる制御部と、を有することを特徴とする電子機器。
【請求項２】
前記ケーブルを通じて入力するデータが、差動増幅信号で構成された映像データであることを特徴とする請求項１に記載の電子機器。
【請求項３】
所定のチャンネルに応じた映像データを取得する映像データ取得部を有し、
前記制御部が、前記映像データ取得部が取得した映像データの出力への切替えが行われた場合に、前記スイッチ素子をオンさせることを特徴とする請求項１又は請求項２のいずれかに記載の電子機器。
【請求項４】
前記ケーブルが、ＨＤＭＩケーブルであることを特徴とする請求項１から請求項３のいずれか一項に記載の電子機器。
【請求項５】
前記スイッチ素子が、ＦＥＴであることを特徴とする請求項１から請求項４のいずれかに記載の電子機器。
【発明の詳細な説明】
【技術分野】
【０００１】
本発明は、電子機器に関し、特にノイズを低減を行う電子機器に関する。
【背景技術】
【０００２】
従来、データの通信を行う電子機器においては、ノイズ対策が問題となっていた。また、通信を行うデータの周波数が高くなればなるほどデータ自体がノイズとして作用するため、何らかの対策を要することとなる。
【０００３】
例えば、ＨＤＭＩ規格に準じて通信を行う表示装置においては、送信するデータの周波数も高いため、様々なノイズ対策が行われている（例えば、特許文献１−５参照。）。
【先行技術文献】
【特許文献】
【０００４】
【特許文献１】特開２００９−２２５４０６号公報
【特許文献２】特開２００６−３４５２５８号公報
【特許文献３】特開２００６−１９１５５１号公報
【特許文献４】特開２００４−０９４４７９号公報
【特許文献５】特開２００２−３７４３１１号公報
【発明の概要】
【発明が解決しようとする課題】
【０００５】
電子機器が外部端子を通じて外部機器からデータの入力を受付けている場合、入力されるデータに対しては対策を施していなかった。特に、電子機器において自機が再生又は取得して出力するデータと、外部機器から入力されるデータの出力とを切替え可能である場合、自機が再生又は取得したデータの出力と、外部機器からのデータの入力とは並行して行われており、外部機器から入力されるデータの周波数が高い場合はこのデータがノイズの要因となる場合がある。
【０００６】
本発明は、上記課題にかんがみてなされたもので、外部機器から入力するデータの選択が行われない場合に、ＥＭＩノイズを低減させることが可能な電子機器の提供を目的とする。
【課題を解決するための手段】
【０００７】
上記課題を解決するために、本発明では、データを出力する外部機器とケーブルを通じて接続する電子機器において、前記ケーブルを通じて入力したデータを受信する受信部と、前記受信部と、前記ケーブルに接続されるコネクターとの間を接続する複数の配線と、前記各配線と、一端で接続され、他端でグランドに接続されたコンデンサーと、前記コンデンサーと前記グランドの間に接続され、前記コンデンサーの導通を切替えるスイッチ素子と、前記ケーブルを通じて入力するデータが選択されていない場合に、前記スイッチ素子をオンさせて、前記コンデンサーを導通させる制御部と、を有する構成としてある。
【０００８】
上記のように構成された発明では、データを出力する外部機器とケーブルを通じて接続する電子機器に係るものである。即ち、外部機器から、所定のデータの送信が行われており、このデータをケーブルを通じて入力する。そして、制御部は、外部機器から送信されるデータの選択がされていない場合に、スイッチ素子をオンさせて、コンデンサーを導通させることで、コネクターと受信部との間に接続された配線に対して、容量を発生させる。
そのため、外部機器から送信されたデータの出力選択が行われない場合は、このデータが流れる配線の容量が増加するため、ＥＭＩノイズを低減させることが可能となる。
【発明の効果】
【０００９】
以上説明したように、本発明によれば、外部機器から入力したデータの出力選択が行われない場合は、この入力データに起因するＥＭＩノイズを低減させることが可能となり、製品の誤動作等を抑制することができる。
【図面の簡単な説明】
【００１０】
【図１】表示システム１０の構成を説明するためのブロック構成図である。
【図２】シンク機器２０の構成を説明するためのブロック構成図である。
【図３】入力が切替えられた場合に、メインコントローラー２３により実行される処理を説明するフローチャートである。
【図４】配線に生じる信号波形を示す図である。
【発明を実施するための形態】
【００１１】
以下、下記の順序に従って本発明の実施形態を説明する。
１．第１の実施形態：
２．その他の実施形態：
【００１２】
１．第１の実施形態： 
以下、図を参照して、この発明に係る電子機器を具体化した第１の実施形態について説明する。図１は、表示システム１０の構成を説明するためのブロック構成図である。また、図２は、シンク機器２０の構成を説明するためのブロック構成図である。第１の実施形態では、電子機器はシンク機器により実現される。
【００１３】
表示システム１０は、データを出力するソース機器３０と、このデータを受信し、出力を行うシンク機器２０とが、ＨＤＭＩ（High-Definition Multimedia Interface）ケーブル４０を通じて接続されて構成されている。本実施形態では、ソース機器３０は、ＢＤ（ブルーレイディスク：登録商標）を再生するプレイヤーであり、シンク機器２０にＢＤを再生して得た映像データをＨＤＭＩケーブル４０を通じて送信する。また、シンク機器２０は、テレビジョン受像機であり、アンテナが受信したテレビジョン放送に係る映像データを受信して出力を行う他、ソース機器３０からＨＤＭＩケーブル４０を通じて送信された映像データ等を通じて受信し、映像を出力することができる。
【００１４】
また、上記構成の表示システム１０において、図示しないリモコン装置を操作することで、シンク機器が出力するデータの切替えを行うことが可能となる。即ち、図１においては、リモコン装置の入力切替えキーを順次操作することで、シンク機器２０は、外部入力としてソース機器３０から出力される映像データ、又はシンク機器２０により取得される映像データのいずれかを切替えて出力することができる。なお、シンク機器２０において、テレビジョン放送に係る映像データが出力されている場合でも、ソース機器３０からシンク機器２０への外部入力に応じた映像データの入力は維持されているものとする。
【００１５】
図２に示すように、シンク機器２０は、ケーブルコネクター２１と、ＨＤＭＩ受信部（受信部）２２と、メインコントローラー（メインコントローラー）２３と、容量発生回路２４と、フロントエンド部（映像データ取得部）２５と、バックエンド部２６と、表示パネル２７と、を備えて構成されている。ＨＤＭＩ受信部２２と、容量発生回路２４と、フロントエンド部２５と、バックエンド部２６とは、メインコントローラー２３と接続されており、メインコントローラー２３における統合的な制御を受ける。
【００１６】
また、フロントエンド部２５とＨＤＭＩ受信部２２とは、出力側でバックエンド部２６とそれぞれ接続されており、メインコントローラー２３からの制御に応じてバックエンド部２６に出力する映像データの切替えが行われる。例えば、シンク機器２０がテレビジョン受像機として機能する場合は、メインコントローラー２３によりフロントエンド部２５とバックエンド部２６との接続に切替えられる。そのため、フロントエンド部２５が抽出した所定のチャンネルに係る映像データは、バックエンド部２６に出力され、明るさ補正等施された後、表示パネル２７に出力される。一方、シンク機器２０がＨＤＭＩ受信部２２を通じて受信した映像データを表示する場合は、メインコントローラー２３によりＨＤＭＩ受信部２２とバックエンド部２６との接続に切替えられる。そのため、ＨＤＭＩケーブル４０を通じて入力した映像データは、バックエンド部２６を経由して表示パネル２７により映像として表示される。
【００１７】
ケーブルコネクター２１は、シンク機器２０のＨＤＭＩ受信部２２とソース機器３０のＨＤＭＩ送信部（図示しない）との間をＨＤＭＩケーブル４０を介して接続する。ケーブルコネクター２１は、ＨＤＭＩケーブル４０のコネクターと着脱可能に固定されるケース部を備えるとともに、このケース部の内部で配線と接続された端子を備えている。そのため、ＨＤＭＩケーブル４０のコネクターとケース部とが固定されることで、端子を介して配線とＨＤＭＩケーブル４０の配線（図示しない）が接続される。配線はＨＤＭＩ受信部２２に接続されているため、ＨＤＭＩケーブル４０を通じて送信されたデータは、ケーブルコネクター２１及び各配線を経由して、ＨＤＭＩ受信部２２に出力される。
【００１８】
ＨＤＭＩ受信部２２は、配線を通じてデータの送信を行う。ＨＤＭＩ受信部２２は、外部入力に応じて、系統の異なる複数のＴＭＤＳブロックを備えており、各ＴＭＤＳブロックからは、１組の配線により送信される差動増幅信号により映像データが受信される。即ち、ＴＭＤＳ＿１＿Ｐ及びＴＭＤＳ＿１＿Ｎは、配線Ｌ１、Ｌ２を通じて入力される１組のデータを差動増幅信号として受信し、シンク機器２０において外部入力１が選択された場合は、バックエンド部２６にこのデータを出力する。そして、ＴＭＤＳ＿２＿Ｐ及びＴＭＤＳ＿２＿Ｎは、配線Ｌ３、Ｌ４を通じて入力される１組のデータを差動増幅信号として受信し、シンク機器２０において外部入力２が選択された場合は、バックエンド部２６にこのデータを出力する。以下同様に、ＴＭＤＳ＿３＿Ｐ及びＴＭＤＳ＿３＿Ｎは、外部入力３に対応するデータを受信し、ＴＭＤＳ＿４＿Ｐ及びＴＭＤＳ＿４＿Ｎは、外部入力４に対応するデータを受信し、外部入力の選択に応じてそれぞれデータを出力する。
【００１９】
さらに、本実施形態では、ＨＤＭＩ受信部２２は、ＣＥＣブロック、ＳＣＬブロック、ＳＤＡブロック、５Ｖｓｅｎｓｅブロック、ＨＰＤブロックを備えている。なお、ＣＥＣブロックは、配線を通じてＣＥＣコマンドを送受信するものである。ＳＣＬブロック及びＳＤＡブロックは、配線を通じてＥＤＩＤ（Extended display identification data ）を取得するために使用されるブロックである。
【００２０】
容量発生回路２４は、メインコントローラー２３からの入力に応じて、ＴＭＤＳ＿１＿Ｐ〜ＴＭＤＳ＿４＿Ｐ及びＴＭＤＳ＿１＿Ｎ〜ＴＭＤＳ＿４＿Ｎと繋がる配線Ｌ１〜Ｌ８に容量（インピーダンス）を発生させる。本実施形態に係る容量発生回路２４は、コンデンサーＣ１〜Ｃ８と、ＦＥＴ＿Ｔ１〜Ｔ８と、抵抗Ｒ１〜Ｒ８と、制御ブロック２４ａと、を備えて構成されている。即ち、コンデンサーＣ１〜Ｃ８は、配線Ｌ１〜Ｌ８と一端でそれぞれ接続され、他端で、ＦＥＴ＿Ｔ１〜Ｔ８とそれぞれコレクター接続されている。そして、ＦＥＴ＿Ｔ１〜Ｔ８のエミッターはグランド接続され、ゲートは抵抗Ｒ１〜Ｒ８を通じて制御ブロック２４ａの出力端子に接続されている。また、制御ブロック２４ａは、メインコントローラー２３と接続されており、メインコントローラー２３から信号を受信すると、各ＦＥＴ＿Ｔ１〜Ｔ８をオンさせて、配線Ｌ１〜Ｌ８にコンデンサーＣ１〜Ｃ８の容量に応じたインピーダンスを発生させる。
【００２１】
本実施形態では、コンデンサーＣ１〜Ｃ８は１ＭＦ以上の容量を備えている。ここで、コンデンサーＣ１〜Ｃ８の容量は、後述するように、シンク機器２０により出力が行われないデータに対して作用するため、１ＭＦ以上であれば、上限はどのような値であってもよい。
なお、制御ブロック２４ａは、ＨＤＭＩ受信部２２の一ブロックとして構成されてもよいし、メインコントローラー２３の内部に備えられるものであってもよい。
【００２２】
メインコントローラー２３は、ＣＰＵ（Central Processing Unit）、ＲＯＭ（Read Only Memory）、ＲＡＭ（Random Access Memory）を備えて構成されており、シンク機器２０における統合的な制御を行う。更に、メインコントローラー２３は、リモコン装置から送信される赤外線信号を受信するリモコン受信部を備えており、リモコン装置からの操作入力に応じて、シンク機器２０の動作を切替える。例えば、メインコントローラー２３が、外部入力１を選択する旨の操作入力を受付けた場合は、ＨＤＭＩ受信部２２とバックエンド部２６とを接続させ、ＴＭＤＳ＿１＿Ｐ及びＴＭＤＳ＿１＿Ｎにより受信される差動増幅信号を通じて入力する映像データをバックエンド部２６に出力する。一方、メインコントローラー２３が、テレビ入力を選択する旨の操作入力を受付けた場合は、フロントエンド部２５とバックエンド部２６とを接続させ、アンテナにより受信したテレビジョン放送信号からフロンエンド部２５が所定の映像データを抽出し、バックエンド部２６に出力する。更に、メインコントローラー２３は、ＨＤＭＩ受信部２２からＨＤＭＩケーブル４０を通じてＣＥＣコマンドを受信すると、このＣＥＣコマンドに応じた処理を実行する。
【００２３】
ところで、ソース機器３０から外部入力を受信している状態で、シンク機器２０を外部入力モードから他のモード（例えば、テレビ入力）に切替えた場合、シンク機器２０は外部入力に係る映像を表示しないが、ソース機器３０からシンク機器２０に対して映像データの送信は維持されている。例えば、外部入力とテレビ入力とを順次切替えることで、表示パネル２７にはそれぞれの映像が表示されることとなる。ここで、ソース機器３０から送信される映像データは、差動増幅信号であるため周波数が数百ＭＨｚと高く映像データがＥＭＩノイズとなる場合がある。そのため、本実施形態では、シンク機器２０により入力切替えが行われ、シンク機器２０がソース機器３０から送信されるデータを出力しない場合に、メインコントローラー２３が容量発生回路２４を差動させ、映像データに起因するＥＭＩノイズを低減する構成としてある。
【００２４】
図３は、入力が切替えられた場合に、メインコントローラー２３により実行される処理を説明するフローチャートである。また、図４は、配線に生じる信号波形を示す図である。なお、図３に示すフローチャートでは、ソース機器３０とシンク機器２０との間には、すでに接続が確立されており、ソース機器３０からシンク機器２０にＨＤＭＩケーブル４０を通じてデータが送信されているものとする。
【００２５】
利用者がリモコン装置を操作して、入力切替えをテレビ入力に切替えると、メインコントローラー２３はこの入力切替えに係る操作入力を受信し（ステップＳ１：ＹＥＳ）、ステップＳ２において、フロントエンド部２５とバックエンド部２６との接続を行い、テレビジョン放送に係る映像データをバックエンド部２６に出力させる。そのため、バックエンド部２６には所定のチャンネルに係る映像データが出力され、表示パネル２７にテレビジョン放送が表示される。
【００２６】
ステップＳ３において、メインコントローラー２３は、配線Ｌ１〜Ｌ８に容量を発生させる。即ち、メインコントローラー２３は、制御ブロック２４ａに容量発生信号を出力する。そのため、制御ブロック２４ａは抵抗Ｒ１〜Ｒ８を通じてＦＥＴ＿Ｔ１〜Ｔ８をオンし、配線Ｌ１〜Ｌ８はコンデンサーＣ１〜Ｃ８を通じてグランドと接続し、コンデンサーＣ１〜Ｃ８の容量に応じたインピーダンスを生じさせる。
【００２７】
配線Ｌ１〜Ｌ８に容量を付与することで、配線を流れるデータの立ち上がり波形及び立下り波形が訛り、配線を流れるデータの急激な波形変化が抑制される。図４では、配線Ｌ１、Ｌ２において、配線上にインピーダンスが発生することで、データの立下り及び立ち上がり波形に訛りが生じている。そのため、データにおける急激な波形変化が抑制されてＥＭＩノイズの低減が図られる。
【００２８】
以下、上記容量発生回路２４の駆動は、利用者がリモコン装置を操作して入力の切替えが行われるまで実行される。そのため、利用者がリモコン装置を操作して、入力を外部入力（即ち、ソース機器３０からの入力）に切替えると（ステップＳ４：ＹＥＳ）、ステップＳ５では、メインコントローラー２３は、受信したコマンドに応じて、配線Ｌ１〜Ｌ８のいずれかとバックエンド部２６とを接続する。
【００２９】
そして、ステップＳ６では、メインコントローラー２３は、制御ブロック２４ａに対して容量発生信号の出力を停止し、ＦＥＴ＿Ｔ１〜Ｔ８をオフさせる。そのため、配線Ｌ１〜Ｌ８にはコンデンサーＣ１〜Ｃ８の容量に応じたインピーダンスが生じなくなり、配線Ｌ１〜Ｌ８には通常の波形により映像データを送信することが可能となる。
【００３０】
以上説明したように、本実施形態では、シンク機器２０をテレビジョン入力に切替えた場合に、ソース機器３０から入力する表示されない高周波のデータが送信される配線に対して容量を増加させるため、ＥＭＩノイズを低減させることができる。
【００３１】
また、ケーブルを通じて入力するデータが、差動増幅信号で構成された映像データである場合、ソース機器３０とシンク機器２０との間のＨＤＭＩ接続を遮断させないため、一端確立された接続を維持させた状態で、ＥＭＩノイズの対策を行うことができる。そのため、入力を切替える（本実施形態では、テレビ入力、外部入力の切替え）毎に、都度、接続を確立するために認証を行うことを要せず、切替え時における映像の表示に遅延を生じさせない。
【００３２】
更に、シンク機器２０が所定のチャンネルに応じた映像データを取得する映像データ取得部（フロントエンド部）を有し、制御部（メインコントローラー）が、受信部が受信した映像データの出力への切替えが行われた場合に、スイッチ素子をオンさせる構成とすることで、テレビジョン受像機においても本発明を適用することが可能となる。
【００３３】
そして、ケーブルがＨＤＭＩケーブルである場合、大容量のデータを通信する場合においても本発明を適用することができる。
【００３４】
また、スイッチ素子が、ＦＥＴである場合、配線に係る電圧が高い場合でも、容量発生回路を確実に駆動させることができる。
【００３５】
２．その他の実施形態：
本実施形態は様々な変形例が存在する。
シンク機器としてテレビジョン受像機を用いることは一例であり、ソース機器から高周波のデータを受信するものであればどの様な装置であってもよい。
【００３６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３７】
１０…表示システム、２０…シンク機器、２１…ケーブルコネクター、２２…ＨＤＭＩ受信部、２３…メインコントローラー、２４…容量発生回路、２５…フロントエンド部、２６…バックエンド部、２７…表示パネル、３０…ソース機器、４０…ＨＤＭＩケーブル
【図１】
2012249037.tif 000003
【図２】
2012249037.tif 000004
【図３】
2012249037.tif 000005
【図４】
2012249037.tif 000006